(57)【特許請求の範囲】
【請求項１】
上壁部と、
当該上壁部と対向する下壁部と、
これら上壁部と下壁部とを所定の間隔で維持するとともに、上壁部と下壁部との間を第１空間と第２空間とに区切る挟持壁部とを有しており、
隣接する２本の指における一方の指を第１空間に挿入し、他方の指を第２空間に挿入して、これら各指の位置を規定することによって、筆記具および箸を正しい持ち方に矯正する、被把持棒の持ち方練習具であって、
上記下壁部の、上記上壁部と反対側には、把持部が接続されており、
上記把持部は、上記下壁部に接続する接続面を有し、上記接続面を正面とした場合に、当該正面との関係で側面となる第１の側面を有し、
上記第１の側面は、上記指の挿入方向に沿って形成され、
上記把持部は、上記上壁部、上記下壁部および上記挟持壁部とは異なる材質からなり、弾性体の塊であることを特徴とする被把持棒の持ち方練習具。
【請求項２】
上記把持部は、上記指が挿入される側および上記指が突き出される側にそれぞれ、上記上壁部から離れる斜め方向に延びる傾斜面を有していることを特徴とする請求項１に記載の被把持棒の持ち方練習具。
【請求項３】
上記各傾斜面の上記下壁部に対する角度は、互いに異なっていることを特徴とする請求項２に記載の被把持棒の持ち方練習具。
【請求項４】
上記上壁部および上記下壁部は、互いに離れる方向に反った形状を有していることを特徴とする請求項１〜３のいずれか１項に記載の被把持棒の持ち方練習具。
【請求項５】
上記第１の側面は、上記第２空間から上記第１空間に向けた方向に、上記下壁部よりも延出していることを特徴とする請求項１〜４のいずれか１項に記載の被把持棒の持ち方練習具。
【請求項６】
上記把持部は、上記第１の側面とは異なる第２の側面を有し、
上記第２の側面は、上記第１空間から上記第２空間に向けた方向に、上記下壁部よりも延出していることを特徴とする請求項５に記載の被把持棒の持ち方練習具。
【請求項７】
上記第２の側面は、上記第１の側面よりも、上記下壁部から離れた位置に配されていることを特徴とする請求項６に記載の被把持棒の持ち方練習具。
【請求項８】
上記把持部における上記指の挿入方向の長さは、上記第１の側面が形成されている側よりも、上記第２の側面が形成されている側の方が短いことを特徴とする請求項７に記載の被把持棒の持ち方練習具。
【請求項９】
上記把持部は、上記下壁部に着脱可能に取り付けられていることを特徴とする請求項１〜８のいずれか１項に記載の被把持棒の持ち方練習具。
【請求項１０】
上記下壁部が有する、対向する端部のそれぞれには、上記上壁部から遠ざかる方向に延出する取り付け壁が設けられており、
上記把持部は上記取り付け壁によって挟持されることにより、下壁部に対して着脱可能および変位可能に取り付けられていることを特徴とする請求項９に記載の被把持棒の持ち方練習具。
【請求項１１】
上壁部と、
当該上壁部と対向する下壁部と、
これら上壁部と下壁部とを所定の間隔で維持するとともに、上壁部と下壁部との間を第１空間と第２空間とに区切る挟持壁部とを有しており、
隣接する２本の指における一方の指を第１空間に挿入し、他方の指を第２空間に挿入することによって、上記２本の指の位置を規定することによって、筆記具および箸を正しい持ち方に矯正する、被把持棒の持ち方練習具であって、
上記下壁部の、上記上壁部と反対側には、把持部が設けられており、
上記把持部は、上記指が挿入される側に形成されており上記上壁部から離れる方向に延びる第１壁面と、上記指が突き出される側に形成されており上記上壁部から離れる方向に延びる第２壁面と、第１壁面から第２壁面に向けた方向に沿って形成されており上記上壁部から離れる方向に延びる側面と、を有し、
上記把持部は、上記上壁部、上記下壁部および上記挟持壁部とは異なる材質からなり、弾性体の塊であることを特徴とする被把持棒の持ち方練習具。
【発明の詳細な説明】
【技術分野】
【０００１】
本発明は、被把持棒（例えば、鉛筆や筆、ボールペン等の各種筆記具、および箸）の誤った持ち方を矯正し、かつ、正しい持ち方を習得するための被把持棒の持ち方練習具に関するものである。
【背景技術】
【０００２】
筆記具の正しい持ち方、特に鉛筆の正しい持ち方において重要なポイントとなるのは、（１）筆記具を持つ位置（筆記具の把持位置）、（２）筆記具を持ったときにできる手の形と力の入れ具合、（３）筆記具を持ったときに鉛筆と紙面とがなす角度（筆記具の把持角度）である。
【０００３】
具体的には、ポイント（１）の「筆記具を持つ位置（筆記具の把持位置）」においては、「（ａ）人差指の先が親指の先よりもわずかに前に出る。（ｂ）人差指の先が、鉛筆の削り際近くにくる。（ｃ）中指、薬指、小指は軽く内側に曲げ、手の内側は卵を握った状態にする。（ｄ）小指の先は軽く紙面につけ、小指の第３関節は紙面より離す」ことが大切である。
【０００４】
また、ポイント（２）の「筆記具を持ったときにできる手の形と力の入れ具合」においては、「（ａ）手首・指に力を入れすぎない。（ｂ）人差指、親指に力を入れすぎないで、それらの関節が丸みを持つようにする」ことが大切である。
【０００５】
さらに、ポイント（３）の「筆記具を持ったときに鉛筆と紙面とがなす角度（筆記具の把持角度）」においては、「（ａ）鉛筆と紙面とが作る傾斜角を５０°〜６０°とする。（ｂ）中指の指先の関節より少し先に鉛筆の軸が触れる。（ｃ）軸を人差指の第２、第３関節の中間あたりに置く。（ｄ）鉛筆の筆先を正しい姿勢で書く時、いつも見える位置にする。」ことが大切である。
【０００６】
しかしながら、幼児や学童が初めて筆記具を手にして文字を書き始めるとき、または、初めて箸を持つとき、幼児・学童に正しい筆記具の持ち方・書き方、若しくは正しい箸の持ち方・使い方を教示することは困難を極め、教示する者にとっても幼児・学童にとっても多大な労力を要するものとなっている。
【０００７】
そこで、特許文献１には、筆記具や箸などの被把持棒をより安定して、かつ、正しく保持することのできる被把持棒の持ち方練習具が提案されている。
【０００８】
この被把持棒の持ち方練習具５０は、図１４に示すように、板状の上壁部５１と、当該上壁部５１と対向して位置する板状の下壁部５２と、これら上下壁部が所定の間隔を形成するために設けられる挟持壁部５３とから構成されている。
【０００９】
そして、上記下壁部５２の端部のうち、指挿入方向の２つの端部（つまり、指が挿入される側の端部および指が突き出される側の端部）には、２つの突出壁（第１の突出壁５４・第２の突出壁５５）が、それぞれ斜め外方向へ延びるように形成されている。
【００１０】
この持ち方練習具５０を、図１５に示すように、指に装着することにより、被把持棒を正しく持つために必要な形および位置に指を維持することが容易となる。
【特許文献１】特開２００５−５５９１８号公報（２００５年３月３日公開）
【発明の開示】
【発明が解決しようとする課題】
【００１１】
筆記具および箸を正しく持つためには、親指の位置も重要である。筆記具を持つ場合には、親指の位置は、筆記具の種類によって異なり、例えば、鉛筆を持つ場合よりもボールペンを持つ場合の方が、親指は筆記具の先端部（ペン先）から遠ざかる位置に配される。このように親指の位置を変えることにより、筆記具の紙面に対する角度を変えることができ、ボールペンは鉛筆よりも立てた状態で使用される。
【００１２】
ところが、上記従来の構成では、親指の位置を安定的に維持するための部位は備わっておらず、筆記具および箸を正しく持つために適切な位置に親指を維持するように矯正することは困難であるという問題が生ずる。
【００１３】
本発明は、上記の問題点を解決するためになされたもので、その目的は、親指の位置を矯正することが容易にできる被把持棒の持ち方練習具を提供することにある。
【課題を解決するための手段】
【００１４】
本発明に係る被把持棒の持ち方練習具は、上記の課題を解決するために、上壁部と、当該上壁部と対向する下壁部と、これら上壁部と下壁部とを所定の間隔で維持するとともに、上壁部と下壁部との間を第１空間と第２空間とに区切る挟持壁部とを有しており、隣接する２本の指における一方の指を第１空間に挿入し、他方の指を第２空間に挿入して、これら各指の位置を規定することによって、筆記具および箸を正しい持ち方に矯正する、被把持棒の持ち方練習具であって、上記下壁部の、上記上壁部と反対側には、把持部が接続されており、上記把持部は、上記下壁部に接続する接続面を有し、上記接続面を正面とした場合に、当該正面との関係で側面となる第１の側面を有し、上記第１の側面は、上記指の挿入方向に沿って形成されていることをことを特徴としている。
【００１５】
上記の構成によれば、上壁部と挟持壁部と下壁部とによって形成される２つの空間（第１空間および第２空間）に、隣接する２本の指を１本ずつ挿入することにより本発明の持ち方練習具を手に装着できる。
【００１６】
そして、上記指を軽く内側に曲げ、当該指によって把持部を軽く握ることにより、手の内側が卵を握った状態になるように手の形を維持することができる。これにより、筆記具および箸を持つ場合のポイントのひとつである、「中指、薬指、小指は軽く内側に曲げ、手の内側は卵を握った状態にする」という状態を簡単に実現できる。
【００１７】
また、筆記具および箸を持つ場合の他のポイントとして、親指を適切な位置に配置することが挙げられる。例えば、鉛筆を持つ場合には、親指の先端は人差指の先端から第１間接側にわずかに寄った位置に配されることが好ましい。一方、ボールペンを持つ場合には、鉛筆を持つ場合よりも、親指を人差指の第１間接により近づけることが好ましい。
【００１８】
このように親指の位置を変えることにより、筆記具の紙面に対する角度を変えることができ、筆記具に応じて親指の位置を変えることは、筆記具を正しく持つためには重要である。また、箸を正しく持つ場合にも、親指の位置を安定して維持することは重要である。
【００１９】
上記の構成では、把持部が有する、上記指の挿入方向に沿って形成される、第１の側面に親指を当接させることにより、当該親指を、筆記具および箸を正しく持てる位置に維持することが容易となる。
【００２０】
それゆえ、筆記具および箸をより安定した状態で、正しく保持することが容易にできるようになり、筆記具および箸の持ち方を容易に矯正することができる。
【００２１】
また、上記把持部は弾性体であることが好ましい。
【００２２】
上記の構成によれば、把持部は弾性素材を主たる素材とするものであるため、把握部を硬い（弾性のない）素材で構成した場合に感じる痛みや違和感を低減することができ、把持部を快適に握ることができる。したがって、快適に、かつ長時間、被把持棒の持ち方の矯正を行うことができる。
【００２３】
なお、上記弾性素材として、例えば、シリコンを主原料とするゴム、天然ゴム、発泡スチロール、合成樹脂等からなるスポンジを挙げることができる。
【００２４】
また、上記把持部は、上記指が挿入される側および上記指が突き出される側にそれぞれ、上記上壁部から離れる斜め方向に延びる傾斜面を有していることが好ましい。
【００２５】
各種筆記具の持ち方の練習を行う場合、筆記具の文字を書く紙面に対する角度は、筆記具の種類によって異なる。また、箸を持つ場合にも正しい角度で持つことは重要である。そこで、正しい角度で筆記具および箸を持てるように、上記被把持棒の持ち方練習具は、被把持棒の角度を維持する部位を備えていることが望ましい。
【００２６】
上記の構成によれば、把持部は、指が挿入される側および指が突き出される側に傾斜面を有している。そのため、これら傾斜面に被把持棒を当接させることにより、当該被把持棒を正しい角度で維持することが容易となる。
【００２７】
また、上記各傾斜面の上記下壁部に対する角度は、互いに異なっていることが好ましい。
【００２８】
上記の構成によれば、各傾斜面の角度を２種類の筆記具に最適な角度に、それぞれ設定することができる。
【００２９】
つまり、上記の筆記具の持ち方練習具は、鉛筆とボールペン、鉛筆と万年筆などというように、２種類の筆記具の持ち方練習を行う場合に、当該持ち方練習具を反転させて２つの傾斜面を使い分けることによって、２種類の筆記具の持ち方練習をひとつの練習具で行うことができる。
【００３０】
また、上記上壁部および上記下壁部は、互いに離れる方向に反った形状を有していることが好ましい。
【００３１】
上記の構成によれば、隣接する２本の指で上記挟持壁部を挟んだときに、２本の指の境目に形成される凹型の形状に、上壁部および下壁部の形状を適合させることができ、上記持ち方練習具を装着する場合の違和感を低減することができる。
【００３２】
また、上記第１の側面は、上記第２空間から上記第１空間に向けた方向に、上記下壁部よりも延出していることが好ましい。
【００３３】
上記の構成によれば、第１空間に人差指を挿入し、第２空間に中指を挿入した場合には、第１の側面は、第２空間から第１空間に向けた方向、すなわち、人差指から親指の方向に、下壁部よりも延出している。
【００３４】
そのため、下壁部の端部によって妨げられることなく、親指を第１の側面に当接させることができ、親指の位置の維持がさらに容易になる。
【００３５】
また、上記把持部は、上記第１の側面とは異なる第２の側面を有し、上記第２の側面は、上記第１空間から上記第２空間に向けた方向に、上記下壁部よりも延出していることが好ましい。
【００３６】
上記の構成によれば、第１の側面とは反対側の、把持部の端部には第２の側面が設けられており、この第２の側面は、第１の側面が延出している方向とは逆の方向に延出している。この第２の側面が延出することによって形成される部分を以下では延出部と称する。
【００３７】
上記延出部が人差指よりも中指に近い位置に配置されるように、上記持ち方練習具を手に装着した場合には、当該延出部を薬指と小指とで握ることができる。
【００３８】
それゆえ、薬指および小指を握りすぎるという間違った持ち方になる可能性を低減し、薬指および小指を、被把持棒が正しく持てる位置に維持することが容易となる。
【００３９】
一方、延出部が中指よりも人差指に近い位置に配置されるように、上記持ち方練習具を手に装着した場合には、延出部が親指と人差指との間の空間に延出する。
【００４０】
筆記具および箸の間違った持ち方のひとつとして、親指で人差指の第２間接付近を握る持ち方を挙げることができる。この持ち方の問題点は、親指で人差指の第２間接付近を握ることにより、握りこぶしを作ってしまい、卵を握ったような状態とは大きくかけ離れた状態に各指が配置されることにある。
【００４１】
上記の構成では、延出部が親指に当接することにより、親指の先端が人差指の先端から第２間接の方向へと変位することが抑制され、親指の先端が正しい位置に維持されるように矯正することが容易となる。
【００４２】
上記の説明をまとめれば、上記持ち方練習具を装着する方向を反転させることにより、薬指および小指の位置の維持と親指の変位制限という２つの矯正手法を１つの練習具で行うことができると言える。
【００４３】
また、上記第２の側面は、上記第１の側面よりも、上記下壁部から離れた位置に配されていることが好ましい。
【００４４】
上記の構成によれば、第２の側面（延出部）が下壁部から延出する長さは、第１の側面が下壁部から延出する長さよりも長い。
【００４５】
そのため、延出部が人差指よりも中指に近い位置に配置されるように、上記持ち方練習具を手に装着した場合には、延出部を薬指と小指とで握ることがより容易になる。また、延出部が中指よりも人差指に近い位置に配置されるように、上記持ち方練習具を手に装着した場合には、親指の変位をより効果的に制限することができる。
【００４６】
また、上記把持部における上記指の挿入方向の長さは、上記第１の側面が形成されている側よりも、上記第２の側面が設けられている側の方が短いことが好ましい。
【００４７】
上記第１空間に人差指を挿入し、上記第２空間に中指を挿入する場合には、把持部における上記指の挿入方向の長さは、第１の側面が形成されている側（第１空間側）においては、人差指および中指によって握られるのに適した長さに設定することが好ましく、第２の側面が形成されている側（第２空間側）においては、薬指および小指によって握られるのに適した長さに設定することが好ましい。そして、薬指および小指によって握られるのに適した長さは、人差指および中指によって握られるのに適した長さよりも短い。
【００４８】
上記の構成によれば、把持部における上記指の挿入方向の長さは、第１の側面が形成されている側よりも、第２の側面が設けられている側（上記延出部が形成されている側）の方が短いため、第１空間に人差指を挿入し、第２空間に中指を挿入した場合には、延出部を薬指および小指で容易に握ることができる。
【００４９】
したがって、薬指および小指を、被把持棒を正しく持てる位置に維持することがさらに容易となる。
【００５０】
また、上記把持部は、上記下壁部に着脱可能に取り付けられていることが好ましい。
【００５１】
上記の構成によれば、把持部が汚れた場合や、使用する被把持棒に応じた形状の把持部が必要になった場合に、把持部を取り替えることができるため、上記持ち方練習具の利便性を向上させることができる。
【００５２】
なお、把持部の取り付け方法としては、下壁部と把持部とが接触する面に、マジックテープ（登録商標）など、接着と剥離とを複数回行えるテープを設ける方法や、片方に突起を設け、他方に当該突起を受け入れる穴を設ける方法などを挙げることができる。
【００５３】
また、上記下壁部が有する、対向する端部のそれぞれには、上記上壁部から遠ざかる方向に延出する取り付け壁が設けられており、上記把持部は上記取り付け壁によって挟持されることにより、下壁部に対して着脱可能および変位可能に取り付けられていることが好ましい。
【００５４】
上記の構成によれば、下壁部の対向する端部のそれぞれに設けられた取り付け壁によって把持部を挟持することにより、当該把持部を下壁部に取り付けることができる。
【００５５】
そのため、把持部の位置を容易に調節することができるとともに、使用する被把持棒の種類に応じて、把持部を取り替えることができる。
【００５６】
本発明に係る被把持棒の持ち方練習具は、上記の課題を解決するために、上壁部と、当該上壁部と対向する下壁部と、これら上壁部と下壁部とを所定の間隔で維持するとともに、上壁部と下壁部との間を２つの空間に区切る挟持壁部とを有しており、隣接する２本の指における一方の指を一方の空間に挿入し、他方の指を他方の空間に挿入して、これら各指の位置を規定することによって、筆記具および箸を正しい持ち方に矯正する、被把持棒の持ち方練習具であって、上記下壁部が有する端部のうち、上記指が挿入される側の端部、および、指が突き出される側の端部には、上記上壁部から離れる斜め方向へ延びる傾斜壁が設けられており、上記下壁部が有する端部のうち、上記指の挿入方向に沿って形成されている端部には、上記上壁部から離れる方向へ延びる側壁が設けられていることを特徴としている。
【００５７】
上記の構成によれば、上壁部と挟持壁部と下壁部とによって形成される２つの空間に、隣接する２本の指を１本ずつ挿入することにより上記持ち方練習具を手に装着できる。
【００５８】
そして、指を軽く内側に曲げ、下壁部を軽く握ることにより、手の内側が卵を握った状態になるように手の形を維持することができる。これにより、筆記具や箸などの被把持棒を持つ場合のポイントのひとつである、「中指、薬指、小指は軽く内側に曲げ、手の内側は卵を握った状態にする」という状態を容易に実現できる。
【００５９】
また、下壁部が有する傾斜壁に被把持棒を当接させることにより、当該被把持棒を正しい位置に維持することが容易となる。
【００６０】
さらに、下壁部が有する、指の挿入方向に沿って形成されている側壁に親指を当接させることにより、当該親指を、被把持棒を正しく持てる位置に維持することが容易となる。
【００６１】
それゆえ、被把持棒をより安定した状態で、正しく保持することが容易にできるようになり、被把持棒の持ち方を容易に矯正することができる。
【００６２】
また、上記各傾斜壁の上記下壁部に対する角度は、互いに異なっていることが好ましい。
【００６３】
上記の構成によれば、下壁部が有する傾斜壁のうち、指が挿入される側の傾斜壁および指が突き出される側の傾斜壁が下壁部に対してなす角度は、互いに異なっているため、各傾斜壁の角度を２種類の筆記具に最適な角度に、それぞれ設定することができる。
【００６４】
つまり、上記の被把持棒の持ち方練習具は、鉛筆とボールペン、鉛筆と万年筆などというように、２種類の筆記具の持ち方練習を行う場合に、当該持ち方練習具を反転させて２つの傾斜壁を使い分けることによって、２種類の筆記具の持ち方練習をひとつの練習具で行うことができる。
【００６５】
本発明に係る被把持棒の持ち方練習具は、上記の課題を解決するために、上壁部と、当該上壁部と対向する下壁部と、これら上壁部と下壁部とを所定の間隔で維持するとともに、上壁部と下壁部との間を第１空間と第２空間とに区切る挟持壁部とを有しており、隣接する２本の指における一方の指を第１空間に挿入し、他方の指を第２空間に挿入することによって、上記２本の指の位置を規定することによって、筆記具および箸を正しい持ち方に矯正する、被把持棒の持ち方練習具であって、上記下壁部の、上記上壁部と反対側には、把持部が設けられており、上記把持部は、上記指が挿入される側に形成されており上記上壁部から離れる方向に延びる第１壁面と、上記指が突き出される側に形成されており上記上壁部から離れる方向に延びる第２壁面と、第１壁面から第２壁面に向けた方向に沿って形成されており上記上壁部から離れる方向に延びる側面と、を有していることを特徴としている。
【００６６】
上記の構成により、手の内側の形状、親指の位置、被把持棒の角度を正しく、安定に維持することができ、被把持棒の持ち方を容易に矯正することができる。
【００６７】
また、上記把持部は弾性体であることが好ましい。
【００６８】
上記の構成により、把持部を握る時に生じる痛みや違和感を低減することができ、上記持ち方練習具を快適に使用することができる。
【発明の効果】
【００６９】
本発明に係る被把持棒の持ち方練習具は、以上のように、上壁部と、当該上壁部と対向する下壁部と、これら上壁部と下壁部とを所定の間隔で維持するとともに、上壁部と下壁部との間を第１空間と第２空間とに区切る挟持壁部とを有しており、隣接する２本の指における一方の指を第１空間に挿入し、他方の指を第２空間に挿入して、これら各指の位置を規定することによって、筆記具および箸を正しい持ち方に矯正する、被把持棒の持ち方練習具であって、上記下壁部の、上記上壁部と反対側には、把持部が接続されており、上記把持部は、上記下壁部に接続する接続面を有し、上記接続面を正面とした場合に、当該正面との関係で側面となる第１の側面を有し、上記第１の側面は、上記指の挿入方向に沿って形成されている構成である。
【００７０】
それゆえ、把持部を軽く握ることにより、手の内側が卵を握った状態になるように手の形を維持することができるとともに、把持部が有する側面に親指を当接させることにより、当該親指を、被把持棒を正しく持てる位置に維持することが容易になるという効果を奏する。
【発明を実施するための最良の形態】
【００７１】
〔実施の形態１〕
本発明の実施の一形態について図２〜図７に基づいて説明すれば、以下のとおりである。なお、本実施の形態２および３のみが特に請求項に係る発明と関連する実施の形態である。
【００７２】
本実施の形態では、被把持棒の具体例として、まず、鉛筆や筆、ボールペンなどいった筆記具を挙げ、それらの正しい持ち方を習得するための被把持棒の持ち方練習具（以下、練習具と略記する）１について説明する。
【００７３】
（練習具１の形状）
まず、図２〜図４を参照しつつ、練習具１の形状について説明する。図２は、本実施形態の練習具１の斜視図である。図３は、練習具１の正面図である。図４は、練習具１の側面図である。なお、以下では、指の挿入方向に直交する方向を長手方向と定義する。
【００７４】
練習具１は、図２に示すように、板状の上壁部２と、上壁部２と対向する下壁部３と、これら上下壁部が所定の空間（第１指配置部５（第１空間）および第２指配置部６（第２空間））を形成するために設けられる挟持壁部４とから構成されている。
【００７５】
上壁部２は、図３に示すように、挟持壁部４が設けられている側の面が凸形状になるようにやや湾曲している。これによって、人差指と中指とで挟持壁部４を挟んだときに、人差指と中指との境目に形成される凹型の形状に上壁部２の形状が適合することができ、練習具１を違和感なく使用することができる。また、上壁部２は、下壁部３よりも長手方向の長さが短くなっている。
【００７６】
下壁部３は、図２および図３に示すように、底面が開口した略箱形状をしており、上面３１、第１傾斜壁３２、第２傾斜壁３３、側壁３４から構成されている。
【００７７】
上面３１は、図３に示すように、挟持壁部４が設けられている側の面が凸型の形状になるようにやや湾曲している。これによって、人差指と中指とで挟持壁部４を挟んだときに、人差指と中指との境目に形成される凹型の形状に上面３１の形状を適合させることができ、練習具１を違和感なく使用することができる。
【００７８】
また、２つの傾斜壁（第１傾斜壁３２・第２傾斜壁３３）は、上面３１の端部のうち、長手方向に沿った２つの端部、換言すれば、指が挿入される側の端部および指が突き出される側の端部に設けられており、それぞれ斜め外方向へ延びている。なお、上記斜め外方向とは、上壁部２へ近づく斜め方向ではなく、上壁部２から離れる斜め方向を意味している。
【００７９】
また、図４に示すように、第１傾斜壁３２が上面３１となす角度（θ１）よりも、第２傾斜壁３３が上面３１となす角度（θ２）は大きい。換言すれば、第２傾斜壁３３は、第１傾斜壁３２よりも急な傾斜を形成している。そして、第１傾斜壁３２が上面３１となす角度（θ１）は、鉛筆の持ち方練習を行う場合に当該鉛筆を固定させる場合に適したもの（５０°〜６０°）になっているのに対して、第２傾斜壁３３が上面３１となす角度（θ２）は、ボールペンの持ち方練習を行う場合に当該ボールペンを固定させる場合に適したもの（７０°〜９０°）になっている。
【００８０】
そのため、この練習具１を用いて鉛筆の持ち方練習を行う場合には、第１指配置部５に人差指を配置するとともに第２指配置部６に中指を配置し、ボールペンの持ち方練習を行う場合には、第２指配置部６に人差指を配置するとともに第１指配置部５に中指を配置する。
【００８１】
さらに、上面３１の端部のうち、指挿入方向に沿う方向の端部、すなわち、第１傾斜壁３２・第２傾斜壁３３が備えられていない端部には、それぞれ側壁３４が設けられている。なお、側壁３４が上面３１となす角度は特に限定されず、側壁３４は挟持壁部４と略平行であってもよいし、挟持壁部４に対して傾いていてもよい。
【００８２】
挟持壁部４は、上壁部２と上面３１との間に所定の間隔を形成するためのものである。挟持壁部４の長さは、人差指や中指の厚さ（手指の手のひら側から手の甲側までの長さ）とほぼ同じ長さになるように設定されることが好ましい。この点を考慮して、対象とする使用者の年齢での平均的な指の厚さから、挟持壁部４の長さを決定してもよい。
【００８３】
この挟持壁部４によって、上壁部２と上面３１との間には、２つの凹部が形成される。これら２つの凹部のうち、片方が、使用時に人差指を配置するための第１指配置部５であり、他方が、使用時に中指を配置するための第２指配置部６である。なお、指を逆方向から挿入した場合には、第１指配置部５に中指が配置され、第２指配置部６に人差指が配置されることになる。
【００８４】
なお、上壁部２の形状および上面３１の形状は、上述の湾曲の形状以外に、例えば、挟持壁部４が設けられている位置に向かって両端から傾斜するような形状（すなわち、ひらがなの「く」の字形の形状）になっていてもよい。
【００８５】
（側壁３４の役割）
次に、側壁３４の役割について、図５および図６を参照しつつ説明する。図５は、練習具１を装着した状態で鉛筆を握った場合の親指の位置を示す図である。図６は、練習具１を装着した状態でボールペンを握った場合の親指の位置を示す図である。
【００８６】
図５に示すように、第１指配置部５に人差指を挿入し、第２指配置部６に中指を挿入し、鉛筆７を正しく握った場合には、親指は人差指の先端付近に位置している。一方、ボールペン８を握った場合には、図６に示すように、親指の位置は、鉛筆を握った場合よりもわずかに人差指の先端から付根の方向（ペン先から遠ざかる方向）へと変位する。このように親指の位置を変えることにより、鉛筆の紙面に対する角度（５０°〜６０°）よりもボールペンの紙面に対する角度（７０°〜８０°）を大きくすることができる。
【００８７】
上記のようにボールペンを持つ場合には、親指は練習具１の側壁３４に当接される。換言すれば、側壁３４は親指を支持することになる。これによって、親指の位置が安定的に維持される。つまり、側壁３４は、ボールペンを持つ場合に親指の位置を安定的に維持する役割を果たす部分であり、親指の位置の矯正効果を奏するものである。
【００８８】
なお、上述の説明では、ボールペンを持つ場合の親指の位置を説明したが、ボールペン以外の被把持棒、例えば、筆ペン、サインペンを使用する場合においても、親指を側壁３４に当接させることが好ましい。
【００８９】
（箸の持ち方練習方法）
次に、練習具１を用いて箸の持ち方を練習する場合の練習具１の使用方法について、図７を用いて説明する。図７は、練習具１を装着した状態で箸を握った状態を示す図である。
【００９０】
箸の持ち方を練習する場合にも、上述の筆記具の持ち方練習の場合と同様に、人差指と中指の付け根に練習具１を挟持する。そして、人差指・中指・親指の三指の各先端で、上方箸９ａの中途部を握るとともに、その後方を第１傾斜壁３２に当接させて配置する。これにより、上方箸９ａは、人差指の第２関節よりも先端側に沿って安定した保持状態となり、この上方箸９ａを人差指と中指との間で自在に操作することが可能となる。また、親指を側壁３４に当接させることにより、当該親指の位置を正しく維持することが容易となる。
【００９１】
なお、下方箸９ｂが固定しにくいときは、図示してはいないが、練習具１をもう一つ使用して、このもう一つの練習具１を小指と薬指の付け根に挟持する。そして、小指・薬指を曲げた状態で、下方箸９ｂの中途部が薬指の側部爪の辺りに位置するようにするとともに、下方箸９ｂの後方部を親指と人差指の付け根に位置させて挟持することによって、不安定にぐらつくことなく固定することができる。これによって、箸の持ち方や、使用法の習得、矯正が容易になる。
【００９２】
（練習具１の効果）
上記の構成によって、第１指配置部５・第２指配置部６に、人差指および中指の付け根から第２関節にわたる各領域（以下、この領域を練習具装着領域という）を挿入し、両指で挟持壁部４を挟み込んだ状態（練習具装着状態）では、人差指と中指との上下方向の変位が上壁部２と上面３１によって制限される。これによって、人差指と中指との各練習具装着領域が互いにほぼ平行に維持され、段違いとなるのが防止される。
【００９３】
また、下壁部３は、略箱形状をしているため、当該下壁部３を軽く握ることにより、「中指、薬指、小指は軽く内側に曲げ、手の内側は卵を握った状態にする」という、筆記具や箸を持つ場合に重要な状態を容易に実現できる。
【００９４】
また、下壁部３は、側壁３４を有しているため、筆記具や箸の持ち方に応じて親指の位置を変える場合に、当該親指を側壁３４によって支持することができる。それゆえ、親指の位置を安定的に維持することができる。
【００９５】
また、第１傾斜壁３２と第２傾斜壁３３とが、それぞれ異なる傾斜角度で配置されていることによって、鉛筆とボールペン、鉛筆と万年筆、鉛筆と毛筆などといった異なる２種の筆記具を、対応する傾斜角度を有する傾斜面にそれぞれ当接させることにより、最適な角度で保持することが可能となる。
【００９６】
なお、上述の説明では、下壁部３は、底面が開口した略箱形状の部材であるとしたが、上面３１、第１傾斜壁３２、第２傾斜壁３３、側壁３４によって囲まれる空間は埋められていてもよい。例えば、下壁部３を合成樹脂等の塊によって形成してもよい。
【００９７】
〔実施の形態２〕
本発明の他の実施形態について図１、図８、図９に基づいて説明すれば、以下のとおりである。なお、実施の形態１と同様の部材に関しては、同じ符号を付し、その説明を省略する。
【００９８】
図１は、本実施形態の練習具１０の斜視図である。図８は、練習具１０の平面図である。図９は、把持部１２の変形例を示す平面図である。
【００９９】
本実施形態の練習具１０は、練習具１が下壁部３を備えているのとは異なり、図１に示すように、板状の下壁部１１およびスポンジ素材からなる把持部１２を備えている。
【０１００】
下壁部１１は、板状の部材であり、図１および図８に示すように、上壁部２と対向する面において挟持壁部４と接続されており、上壁部２と対向する面とは反対側の面（以下、裏面と称する）には、把持部１２が接続されている。また、下壁部１１の、上壁部２と対向する面は、凸形状になっている。
【０１０１】
把持部１２は、スポンジ素材からなる弾性体であり、上面１３、第１傾斜面１４（第１壁面）、第２傾斜面１５（第２壁面）、側面１６を有している。
【０１０２】
上面１３は、下壁部１１の裏面と接続される面である。下壁部１１と上面１３との接続方法は特に限定されず、両者を接着剤によって接続してもよいし、両面テープによって接続してもよい。
【０１０３】
第１傾斜面１４、第２傾斜面１５、側面１６の形状および機能は、第１傾斜壁３２、第２傾斜壁３３、側壁３４の形状および機能とそれぞれ略同様である。
【０１０４】
第１傾斜面１４および第２傾斜面１５は、それぞれ、指が突き出される側および指が挿入される側に形成されており、各傾斜面に筆記具を当接させることにより筆記具の角度を正しい角度に維持することができる。
【０１０５】
この機能を十分に発揮させるためには、第１傾斜面１４および第２傾斜面１５は、下壁部１１の、指が突き出される側および指が挿入される側の端部に設けられているか、当該端部から離れた位置（下壁部１１から離れた位置）に設けられていることが好ましい。換言すれば、第１傾斜面１４と第２傾斜面１５との間の幅は、下壁部１１の長手方向における幅と同じか、それよりも広いことが好ましい。
【０１０６】
側面１６は、指の挿入方向に沿う方向に形成されており、この側面１６には、親指が当接される。より具体的には、側面１６は、第１指配置部５に挿入された人差指の側面（手の平と手の甲とをつなぐ面）のうち、挟持壁部４とは反対側に位置する側面の付近に位置するように設けられている。さらに、親指が当接し易いように、側面１６は、下壁部１１の、指の挿入方向に沿って形成されている端部の付近に設けられているか、または、第２指配置部６から第１指配置部５に向けた方向に、上記端部よりも延出していることが好ましい。
【０１０７】
なお、図９に示すように、第１傾斜面１４と第２傾斜面１５とは、長手方向の長さは同じである必要は必ずしもなく、どちらか一方が他方よりも短くてもよい。
【０１０８】
（把持部１２の効果）
把持部１２は弾性体であるため、弾性体でない場合よりも、握った時に手にかかるストレスが少なく、長時間握っていても手に負担がかからない。したがって、練習具１０を快適に長時間使用することができる。
【０１０９】
また、第１傾斜面１４または第２傾斜面１５に筆記具を当接させる場合に、把持部１２が弾性体であることにより、筆記具を上記傾斜面に当接させる時の応力を緩衝することができ、筆記具を上記傾斜面に維持しやすくなる。
【０１１０】
（把持部１２の変形例）
次に、把持部１２の形状の変更例について、図１０〜図１２を参照しつつ説明する。なお、把持部１２と同様の部位には同じ番号を付し、その説明を省略する。
【０１１１】
図１０は、把持部１２の変形例である把持部２０の形状を示す平面図である。図１１は、把持部２０のさらなる変形例を示す平面図である。
【０１１２】
図１０に示すように、把持部２０は、２つの側面１６のうち、第１指配置部５よりも第２指配置部６に近い方の側面１６（第２の側面）を形成する部位が、第１指配置部５から第２指配置部６に向けた方向へ、下壁部１１の、指挿入方向に沿った端部よりも延出することによって形成された延出部２１を備えている。換言すれば、第２の側面は、他方の側面１６（第１の側面）よりも、下壁部１１の、指挿入方向に沿った端部から離れた位置に配されている。
【０１１３】
さらに、延出部２１における第１傾斜面１４と側面１６とによって形成される角部は削られ、新たな傾斜面である第３傾斜面２２が形成されている。このため、第３傾斜面２２と第２傾斜面１５との間の幅は、第１傾斜面１４と第２傾斜面１５との間の幅よりも狭くなっている。つまり、延出部２１は先細りした形状になっている。さらに換言すれば、把持部１２における指挿入方向の長さは、上記第１の側面が形成されている側よりも、上記第２の側面が形成されている側の方が短い。
【０１１４】
なお、第３傾斜面２２は、平坦な平面である必要は必ずしもなく、図１１に示すように、階段状になっていてもよい。この階段状の面である階段面２３の段数は特に限定されず、２段でもよいし、３段以上であってもよい。
【０１１５】
（把持部２０の効果）
次に、把持部２０の奏する効果について説明する。
【０１１６】
把持部２０は延出部２１を備えているため、延出部２１が人差指よりも中指に近い位置に配置されるように、練習具１０を装着した場合（図示せず）には、延出部２１を薬指と小指とで握ることができる。
【０１１７】
さらに、延出部２１の延出方向における幅、すなわち、第３傾斜面２２と第２傾斜面１５との間の幅は、第１傾斜面と第２傾斜面との間の幅よりも狭いため、延出部２１を薬指および小指で容易に握ることができる。
【０１１８】
それゆえ、薬指および小指を握りすぎることを防止でき、薬指および小指を、筆記具を正しく持てる位置に維持することが容易になる。
【０１１９】
一方、図１２に示すように、延出部２１が中指よりも人差指に近い位置に配置されるように、練習具１０を装着した場合には、親指に延出部２１が当接する。図１２は、把持部２０を備えた練習具１０の使用方法を説明するための斜視図である。
【０１２０】
そのため、親指の先端が人差指の先端から第２間接の方向へと変位することが延出部２１によって抑制され、親指を人差指の第２間接の近傍に配置させるという間違った持ち方をすることを防止できる。
【０１２１】
以上のように、把持部２０を備えた練習具１０を装着する方向を反転させることにより、薬指および小指の位置の維持と親指の変位制限という２つの矯正方法を１つの練習具で行うことができる。
【０１２２】
なお、把持部２０が階段面２３を備えている場合にも、第３傾斜面２２を備えている場合と略同様の効果を奏する。
【０１２３】
〔実施の形態３〕
本発明の他の実施形態について図１３に基づいて説明すれば、以下のとおりである。なお、実施の形態２と同様の部材に関しては、同じ符号を付し、その説明を省略する。
【０１２４】
図１３は、本実施形態の練習具４０の斜視図である。
【０１２５】
練習具４０と練習具１０との違いは、練習具４０は、把持部４３を下壁部４１に脱着可能に取り付けることができる点である。
【０１２６】
図１３に示すように、練習具４０が備える下壁部４１の長手方向の両端部には、上壁部２から遠ざかる方向へ延びる取り付け壁４２が設けられており、この取り付け壁４２によって把持部４３を挟むことができる。
【０１２７】
把持部４３は、取り付け壁４２によって挟持される接続部４４を有していることが好ましい。この接続部４４は、把持部４３の上面、すなわち下壁部４１と接触する面に形成された隆起部であり、指挿入方向の長さが、２つの取り付け壁４２の間隔と略同様のものである。そのため、接続部４４は、取り付け壁４２によって挟持され易くなっている。
【０１２８】
上記の構成により、練習具４０は、把持部４３を下壁部４１に脱着可能に取り付けることができるため、用いる筆記具に応じて把持部を取り替えることができる。
【０１２９】
また、長手方向に把持部４３を移動させることができるため、下壁部１１に対する把持部４３位置を容易に調整できる。
【０１３０】
なお、取り付け壁４２は、下壁部４１の指挿入方向の両端部に設けられていてもよい。また、取り付け壁４２は、把持部４３を引っ掛けるための鉤型の突起を備えていてもよい。
【０１３１】
（変更例）
なお、上壁部２、下壁部３・１１・４１、挟持壁部４の材質は特に限定されず、合成樹脂、金属、木や竹、ゴムであってもよい。なお、上記各壁部を形状記憶素材によって形成すれば、上記練習具を折りたたむことができるため、保管および輸送のスペースを削減できる。上記形状記憶素材としては、例えば、形状記憶樹脂や形状記憶合金を用いることができる。
【０１３２】
また、上壁部２、下壁部３・１１・４１、挟持壁部４を別々に形成し、各部を互いに連結させることにより上記練習具を組み立てる構成にしてもよい。
【０１３３】
また、上述の説明では、上記把持部は、スポンジ素材からなるものであるとしたが、上記把持部は弾性体であればよいため、上記把持部の素材はスポンジ素材に限定されず、シリコンを主原料とするゴム、天然ゴム、発泡スチロールであってもよい。
【０１３４】
また、上述の説明では、上壁部２は、下壁部３よりも長手方向の長さが短くなっているとしたが、上壁部２と下壁部３との長手方向の長さは同じでもよい。
【０１３５】
また、側壁３４は、上面３１の、指挿入方向に沿って形成される端部の両方に設けられている必要はなく、どちらかの端部に設けられていればよい。
【０１３６】
また、側面１６は、下壁部１１の、指の挿入方向に沿って形成されている端部よりも少し奥まった所に位置していてもよい。換言すれば、上記端部は、側面１６よりも少し延出していてもよい。
【０１３７】
また、上述の説明は、右利き用の持ち方練習具について説明したものであり、左利き用の持ち方練習具は、右利き用の鏡像体となり、左利き用の持ち方練習具も本発明の技術的範囲に含まれる。
【０１３８】
また、上記練習具を、人差指と中指との間に装着するだけでなく、中指と薬指との間、薬指と小指との間に装着してもよい。また、２つの練習具を一度に装着してもよく、例えば、人差指と中指とで一方の練習具を挟持し、薬指と小指とで他方の練習具を挟持してもよいし、人差指と中指とで一方の練習具を挟持し、中指と薬指とで他方の練習具を挟持してもよい。また、２つの練習具を一度に装着する場合には、２つの練習具の大きさは異なっていてもよい。
【０１３９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１４０】
本発明の筆記具の持ち方練習具は、鉛筆や筆、ボールペン等の各種筆記具の誤った持ち方を矯正し、かつ、正しい持ち方を習得するための道具としての高い利用可能性を有している。
【図面の簡単な説明】
【０１４１】
【図１】別の実施形態の持ち方練習具の斜視図である。
【図２】本実施形態の持ち方練習具の斜視図である。
【図３】本実施形態の持ち方練習具の正面図である。
【図４】本実施形態の持ち方練習具の側面図である。
【図５】本実施形態の持ち方練習具を装着した状態で鉛筆を握った場合の親指の位置を示す図である。
【図６】本実施形態の持ち方練習具を装着した状態でボールペンを握った場合の親指の位置を示す図である。
【図７】本実施形態の持ち方練習具を装着した状態で箸を握った状態を示す図である。
【図８】別の実施形態の持ち方練習具の平面図である。
【図９】別の実施形態の持ち方練習具が備える把持部の変形例を示す平面図である。
【図１０】別の実施形態の持ち方練習具が備える把持部のさらなる変形例を示す平面図である。
【図１１】別の実施形態の持ち方練習具が備える把持部のさらなる変形例を示す平面図である。
【図１２】別の実施形態の持ち方練習具の使用方法を説明するための斜視図である。
【図１３】さらに別の実施形態の持ち方練習具の斜視図である。
【図１４】従来の被把持棒の持ち方練習具を示す斜視図である。
【図１５】従来の被把持棒の持ち方練習具の使用方法を示す図である。
【符号の説明】
【０１４２】
１  被把持棒の持ち方練習具
２  上壁部
３  下壁部
４  挟持壁部
５  第１指配置部（第１空間）
６  第２指配置部（第２空間）
１０  被把持棒の持ち方練習具
１１  下壁部
１２  把持部
１４  第１傾斜面（第１壁面）
１５  第２傾斜面（第２壁面）
１６  側面（第１の側面、第２の側面）
２０  把持部
２１  延出部
３２  第１傾斜壁
３３  第２傾斜壁
３４  側壁
４０  被把持棒の持ち方練習具
４１  下壁部
４２  取り付け壁
４３  把持部
【図１】
0004693523.tif 000002
【図２】
0004693523.tif 000003
【図３】
0004693523.tif 000004
【図４】
0004693523.tif 000005
【図５】
0004693523.tif 000006
【図６】
0004693523.tif 000007
【図７】
0004693523.tif 000008
【図８】
0004693523.tif 000009
【図９】
0004693523.tif 000010
【図１０】
0004693523.tif 000011
【図１１】
0004693523.tif 000012
【図１２】
0004693523.tif 000013
【図１３】
0004693523.tif 000014
【図１４】
0004693523.tif 000015
【図１５】
0004693523.tif 000016